(57)【要約】【課題】内部の通気性を向上し、蒸れを抑制できる吸収性物品を提供する。【解決手段】着用者の腹側から股下を介して背側に亘る長手方向と、前記長手方向と直交する幅方向とを有する吸収性物品であって、第１シート部材と、ウエスト側端部が前記第１シート部材のウエスト側端部よりも前記長手方向の股下側に位置する第２シート部材との少なくとも２つ以上のシート部材を重ね合わせて構成された外装体と、前記第１シート部材と前記第２シート部材とが重畳する領域において、前記第１シート部材と前記第２シート部材との間に伸張状態で配置された伸縮部材と、を備え、前記第１シート部材と前記第２シート部材とは、前記伸縮部材の延在方向において間欠的にそれぞれ設けられた複数の接着部により接着されており、前記複数の接着部は、前記第１シート部材のウエスト側端部と交差する方向において、少なくとも前記伸縮部材が存する領域を含むように延びている。【選択図】図５
2019136306.tif 000002
【特許請求の範囲】
【請求項１】
着用者の腹側から股下を介して背側に亘る長手方向と、前記長手方向と直交する幅方向とを有する吸収性物品であって、
第１シート部材と、ウエスト側端部が前記第１シート部材のウエスト側端部よりも前記長手方向の股下側に位置する第２シート部材との少なくとも２つ以上のシート部材を重ね合わせて構成された外装体と、
前記第１シート部材と前記第２シート部材とが重畳する領域において、前記第１シート部材と前記第２シート部材との間に伸張状態で配置された伸縮部材と、を備え、
前記第１シート部材と前記第２シート部材とは、前記伸縮部材の延在方向において間欠的にそれぞれ設けられた複数の接着部により接着されており、
前記複数の接着部は、前記第１シート部材のウエスト側端部と交差する方向において、少なくとも前記伸縮部材が存する領域を含むように延びていることを特徴とする吸収性物品。
【請求項２】
着用者の腹側から股下を介して背側に亘る長手方向と、前記長手方向と直交する幅方向とを有する吸収性物品であって、
第１シート部材と、ウエスト側端部が前記第１シート部材のウエスト側端部よりも前記長手方向の股下側に位置する第２シート部材と、およびウエスト側端部が前記第２シート部材のウエスト側端部よりも前記長手方向の股下側に位置する第３シート部材との少なくとも３つ以上のシート部材を重ね合わせて構成された外装体を備え、
前記少なくとも３つ以上のシート部材のいずれのウエスト側端部も前記外装体のウエスト周りに略平行とされ、
前記第１シート部材は、前記第１シート部材と前記第２シート部材とが重畳する第１重畳領域において前記第２シート部材よりも肌当接面側に配置されており、前記第２シート部材は、前記第２シート部材と前記第３シート部材とが重畳する第２重畳領域において前記第３シート部材よりも肌当接面側に配置されており、
前記第１重畳領域において前記第１シート部材と前記第２シート部材との間に第１伸縮部材が伸張状態で配置され、前記第２重畳領域において前記第２シート部材と前記第３シート部材との間に第２伸縮部材が伸張状態で配置され、
前記第１シート部材と前記第２シート部材とは前記第１伸縮部材の延在方向において間欠的に設けられた複数の第１接着部により接着され、前記第２シート部材と前記第３シート部材とは前記第２伸縮部材の延在方向において間欠的に設けられた複数の第２接着部により接着され、
前記複数の第１接着部は前記第１シート部材のウエスト側端部と交差する方向において少なくとも前記第１伸縮部材を含んでそれぞれ延びており、前記複数の第２接着部は前記第２シート部材のウエスト側端部と交差する方向において少なくとも前記第２伸縮部材を含んでそれぞれ延びており、
前記第１重畳領域および前記第２重畳領域では、前記第１伸縮部材の延在方向において、前記第１接着部の位置と前記第２接着部の位置とが重ならないことを特徴とする吸収性物品。
【請求項３】
前記複数の第１接着部は前記第１伸縮部材の延在方向において所定間隔でそれぞれ配置されており、前記複数の第２接着部は前記第２伸縮部材の延在方向において前記所定間隔でそれぞれ配置されており、
前記複数の第２接着部は、前記第２伸縮部材の延在方向において、前記複数の第１接着部の配置から前記所定間隔の略半分離れた位置にそれぞれ配置されていることを特徴とする請求項２に記載の吸収性物品。
【請求項４】
着用者の腹側から股下を介して背側に亘る長手方向と、前記長手方向と直交する幅方向とを有する吸収性物品であって、
第１シート部材と、ウエスト側端部が前記第１シート部材のウエスト側端部よりも前記長手方向の股下側に位置する第２シート部材との少なくとも２つ以上のシート部材を重ね合わせて構成された外装体と、
前記第１シート部材と前記第２シート部材とが重畳する領域において、前記第１シート部材と前記第２シート部材との間に伸張状態で配置された伸縮部材と、
前記第１シート部材と前記第２シート部材とを前記伸縮部材の延在方向において間欠的にそれぞれ接着している複数の接着部であって、前記第１シート部材のウエスト側端部と交差する方向において少なくとも前記伸縮部材が存する領域を含むようにそれぞれ延びている複数の接着部と
を備えることを特徴とする吸収性物品。
【請求項５】
着用者の腹側から股下を介して背側に亘る長手方向と、前記長手方向と直交する幅方向とを有する吸収性物品であって、
第１シート部材と、ウエスト側端部が前記第１シート部材のウエスト側端部よりも前記長手方向の股下側に位置する第２シート部材と、およびウエスト側端部が前記第２シート部材のウエスト側端部よりも前記長手方向の股下側に位置する第３シート部材との少なくとも３つ以上のシート部材を重ね合わせて構成された外装体と、
前記少なくとも３つ以上のシート部材にそれぞれ設けられ、前記外装体のウエスト周りに略平行とされるウエスト側端部であって、前記第１シート部材は前記第１シート部材と前記第２シート部材とが重畳する第１重畳領域において前記第２シート部材よりも肌当接面側に配置されており、前記第２シート部材は前記第２シート部材と前記第３シート部材とが重畳する第２重畳領域において前記第３シート部材よりも肌当接面側に配置されている、ウエスト側端部と、
前記第１重畳領域において前記第１シート部材と前記第２シート部材との間に伸張状態で配置されている第１伸縮部材と、
前記第２重畳領域において前記第２シート部材と前記第３シート部材との間に伸張状態で配置されている第２伸縮部材と、
前記第１シート部材と前記第２シート部材とを、前記第１シート部材のウエスト側端部と交差する方向において少なくとも前記第１伸縮部材を含んで延在するようにそれぞれ接着し、且つ、前記第１伸縮部材の延在方向において間欠的にそれぞれ接着する複数の第１接着部と、
前記第２シート部材と前記第３シート部材とを、前記第２シート部材のウエスト側端部と交差する方向において少なくとも前記第２伸縮部材を含んで延在するようにそれぞれ接着し、且つ、前記第２伸縮部材の延在方向において間欠的にそれぞれ接着する複数の第２接着部であって、前記第１重畳領域および前記第２重畳領域では、前記第１伸縮部材の延在方向において、前記第１接着部の位置と前記第２接着部の位置とが重ならない、複数の第２接着部と
を備えることを特徴とする吸収性物品。
【発明の詳細な説明】
【技術分野】
【０００１】
本発明は、通気性を向上させることが可能な吸収性物品に関する。
【背景技術】
【０００２】
従来、排出された体液（以下、単に「体液」とも言う）を吸収体に誘導して吸収させる使い捨ておむつ等の吸収性物品が広く知られている。使い捨ておむつでは、そのウエストギャザーが着用者のウエストに密着し、体液が排出された後には、おむつ内部に湿気が篭って蒸れが発生し、着用者に不快感を与える場合がある。
【０００３】
そこで、おむつのインナーカバーシートとアウターカバーシートとの間に糸ゴムを配置して形成されたフルート形状において、インナーカバーシートに多数の小さい孔を設けることで、おむつの内部の湿気を当該フルートの内部に通しておむつの外部へ逃がし、通気性の向上を図ったものが、例えば、特許文献１に記載されている。
【先行技術文献】
【特許文献】
【０００４】
【特許文献１】特開２０１１−０７８４７７号公報
【発明の概要】
【発明が解決しようとする課題】
【０００５】
しかしながら、特許文献１に記載のおむつでは、肌に当接されうるインナーカバーシートの孔部分の周囲が硬くて風合いがよくない場合があった。そのため、おむつ内部の通気性を向上させるおむつの形態には、依然として改良の余地がある。
【０００６】
本発明の目的は、内部の通気性を向上し、蒸れを抑制できる吸収性物品を提供することにある。
【課題を解決するための手段】
【０００７】
本発明による吸収性物品は、着用者の腹側から股下を介して背側に亘る長手方向と、前記長手方向と直交する幅方向とを有する吸収性物品であって、第１シート部材と、ウエスト側端部が前記第１シート部材のウエスト側端部よりも前記長手方向の股下側に位置する第２シート部材との少なくとも２つ以上のシート部材を重ね合わせて構成された外装体と、前記第１シート部材と前記第２シート部材とが重畳する領域において、前記第１シート部材と前記第２シート部材との間に伸張状態で配置された伸縮部材と、を備え、前記第１シート部材と前記第２シート部材とは、前記伸縮部材の延在方向において間欠的にそれぞれ設けられた複数の接着部により接着されており、前記複数の接着部は、前記第１シート部材のウエスト側端部と交差する方向において、少なくとも前記伸縮部材が存する領域を含むように延びていることを特徴とする。
【０００８】
本発明による吸収性物品は、着用者の腹側から股下を介して背側に亘る長手方向と、前記長手方向と直交する幅方向とを有する吸収性物品であって、第１シート部材と、ウエスト側端部が前記第１シート部材のウエスト側端部よりも前記長手方向の股下側に位置する第２シート部材と、およびウエスト側端部が前記第２シート部材のウエスト側端部よりも前記長手方向の股下側に位置する第３シート部材との少なくとも３つ以上のシート部材を重ね合わせて構成された外装体を備え、前記少なくとも３つ以上のシート部材のいずれのウエスト側端部も前記外装体のウエスト周りに略平行とされ、前記第１シート部材は、前記第１シート部材と前記第２シート部材とが重畳する第１重畳領域において前記第２シート部材よりも肌当接面側に配置されており、前記第２シート部材は、前記第２シート部材と前記第３シート部材とが重畳する第２重畳領域において前記第３シート部材よりも肌当接面側に配置されており、前記第１重畳領域において前記第１シート部材と前記第２シート部材との間に第１伸縮部材が伸張状態で配置され、前記第２重畳領域において前記第２シート部材と前記第３シート部材との間に第２伸縮部材が伸張状態で配置され、前記第１シート部材と前記第２シート部材とは前記第１伸縮部材の延在方向において間欠的に設けられた複数の第１接着部により接着され、前記第２シート部材と前記第３シート部材とは前記第２伸縮部材の延在方向において間欠的に設けられた複数の第２接着部により接着され、前記複数の第１接着部は前記第１シート部材のウエスト側端部と交差する方向において少なくとも前記第１伸縮部材を含んでそれぞれ延びており、前記複数の第２接着部は前記第２シート部材のウエスト側端部と交差する方向において少なくとも前記第２伸縮部材を含んでそれぞれ延びており、前記第１重畳領域および前記第２重畳領域では、前記第１伸縮部材の延在方向において、前記第１接着部の位置と前記第２接着部の位置とが重ならないことを特徴とする。
【発明の効果】
【０００９】
本発明によれば、吸収性物品の内部と外部とを連通するように空気の通り道が形成されるので、吸収性物品内部の通気性を向上し、蒸れを抑制することが可能となる。
【図面の簡単な説明】
【００１０】
【図１】本発明をパンツ型の使い捨ておむつに適用した一実施形態の外観を模式的に表す立体投影図である。
【図２】図１に示した実施形態のサイドシール部を破って展開した状態の一部破断平面図である。
【図３】図２に示した展開状態のおむつを分解した立体投影図である。
【図４】一実施形態に係るタミーギャザー付近を示す図であり、（ａ）は図２のＩＶａ−ＩＶａ方向断面図、（ｂ）は（ａ）を肌非当接面側から見たときの一部平面図、（ｃ）は（ｂ）のＩＶｃ−ＩＶｃ方向断面図、（ｄ）は着用状態における（ｃ）である。
【図５】着用状態における図４（ａ）であり、空気の通り抜けについて説明するための図である。
【発明を実施するための形態】
【００１１】
本発明をパンツ型の使い捨ておむつに適用した一実施形態について、図１〜図５を参照しながら詳細に説明する。しかしながら、本発明はこのような実施形態に限らず、その特許請求の範囲、明細書または図面に記載された本発明の概念に包含されるあらゆる変更や修正が可能である。なお、特許請求の範囲、明細書または図面において、吸収性物品の着用者の腹側から股下を介して背側に亘る方向を長手方向とし、当該長手方向と直交する方向を幅方向とする。本発明に係る吸収性物品は、当該長手方向および当該幅方向を有するものである。
【００１２】
＜おむつの主な構成＞  
本実施形態によるパンツ型の使い捨ておむつの外観を図１に示し、そのサイドシール部を破って内側を表にして展開した状態の外観を図２に示し、これをさらに分解した状態の外観を図３に示す。図２のおむつ１０については、説明の便宜上、部分的に破断した状態を示している。本実施形態におけるパンツ型の使い捨ておむつ（以下、単に「おむつ」とも言う）１０は、ウエスト周り開口部１１および左右一対の脚周り開口部１２が形成された外装体１３と、この外装体１３の内側に配される吸収体２２とで主要部が構成される。
【００１３】
また、本実施形態におけるおむつ１０は、前身頃領域１０Ｆと、後身頃領域１０Ｒと、これら前身頃領域１０Ｆおよび後身頃領域１０Ｒをつなぐ股下領域１０Ｃとを有する。ウエスト周り開口部１１は、着用時に前身頃領域１０Ｆと後身頃領域１０Ｒとで着用者のウエストの部分を取り囲むように形成されている。同様に、左右一対の脚周り開口部１２は、前身頃領域１０Ｆおよび後身頃領域１０Ｒの下端部と股下領域１０Ｃとで着用者の両脚の太股部分を取り囲むようにそれぞれ形成されている。着用時に前身頃領域１０Ｆは、着用者の腹側に位置し、後身頃領域１０Ｒは着用者の背側に位置する。そして、着用時に股下領域１０Ｃは、着用者の股下を覆い、左右一対の脚周り開口部１２に、着用者の脚がそれぞれ通された形となる。したがって、脚周り開口部１２は、着用者の両脚の付け根から太股あたりのいずれかに位置することとなる。
【００１４】
外装体１３は、例えば、不織布で構成されうる。本実施形態では、外装体１３は、第１シート部材２５ｓと、第２シート部材２６ｓと、第３シート部材２７ｓとの３つのシート部材を（一部）重ね合わせて構成される。本発明では、この限りではなく、外装体１３は、２つのシート部材を重ね合わせて構成されたものであってもよいし、３つ以上のシート部材を重ね合わせて構成されたものであってもよい。また、外装体１３を構成するシート部材のそれぞれは、２層以上のシート（例えば、肌当接面側が肌触りの良い不織布のシートで、肌非当接面側が液不透過性のシート）で構成されてもよい。
【００１５】
外装体１３のウエスト側の端部には、折り返し部分が形成されている。ウエスト周り伸縮部材１７は、当該折り返し部分によって挟まれている。ウエスト周り伸縮部材１７によって着用者のウエストの部分に対応するウエスト周り開口部１１が絞られ、ここにウエストギャザー１１ｇが形成される。
【００１６】
本実施形態では、おむつ１０の腹回り部分には、着用者の腹回りにフィットして、着用感を良くするように、後述するタミー伸縮部材（腹回り伸縮部材）２５ｅ、２６ｅが設けられている。これらタミー伸縮部材２５ｅ、２６ｅによって、着用時にフルート形状（後述する図４（ｄ）を参照）が形成され、タミーギャザー２５６ｇが形成される。本実施形態では、詳細は後述するが、このタミーギャザー２５６ｇにおいて、おむつの内部から外部へ空気が通り抜ける道が形成されている（後述する図５を参照）。尚、本実施形態では、当該空気が通り抜ける道は、タミーギャザー２５６ｇに形成されているが、本発明ではこれに限られず、吸収性物品内部の通気性が向上するという発明の効果を奏する限り、吸収性物品のうちフルート形状が形成されるどの部分に設けられてもよい。
【００１７】
また、おむつ１０の前身頃領域１０Ｆおよび後身頃領域１０Ｒにおける外装体１３の幅方向の端縁には、ウエスト周り開口部１１と脚周り開口部１２とにつながる左右一対のサイドシール部１９が形成されている。図２に示すような展開状態から外装体１３の前後のサイドシール部１９を相互に重ね合わせ、これらの当接部分を、例えば、超音波溶融接着法を用いて接合する。これにより、ウエスト周り開口部１１と左右一対の脚周り開口部１２とが形成された図１に示すようなおむつ１０を得ることができる。
【００１８】
図１に戻り、細長い矩形のシート状をなす吸収性本体１４は、おむつ１０の前身頃領域１０Ｆから左右の脚周り開口部１２の間の股下領域１０Ｃを通って後身頃領域１０Ｒまで延在する。本実施形態における吸収性本体１４は、液不透過性のバックシート（裏面シート）２０と、このバックシート２０よりも少し小さめの寸法形状を持つ液透過性のトップシート（表面シート）２１と、細長いシート状をなす吸収体２２と、左右一対の疎水性の側方シート（サイドシート）２３とで主要部が構成されている。バックシート２０は、外装体１３の肌当接面側に接合され、吸収体２２は、バックシート２０とトップシート２１との間に配置され、この吸収体２２を介してトップシート２１がバックシート２０の肌当接面側に接合される。本発明では、バックシート２０の肌非当接面側にパッドカバーシートが接合されてもよい。
【００１９】
吸収体２２全体を覆うトップシート２１の外周端縁の肌非当接側は、バックシート２０の外周縁部に接合されており、トップシート２１の幅方向両端部の肌当接側は、側方シート２３に接合されている。さらに、側方シート２３の左右両側端縁部は折り返されてバックシート２０の肌非当接側の側端縁部に接合され、側方シート２３の長手方向両端縁部はバックシート２０の長手方向両端縁部に接合されている。従って、トップシート２１の左右両側に覆い重なる左右一対の側方シート２３の内側部分（図２中、中央側）は、トップシート２１に対して非接合状態となっている。この内側部分で立体ギャザー２３ｇを形成するため、側方シート２３の内側端縁部に立体ギャザー伸縮部材（例えば糸ゴム）２４が伸張状態で接合されている。従って、このようなおむつ１０を着用した状態では、尿や便は、吸収性本体１４のトップシート２１上に導かれ、水分がトップシート２１を通過して吸収体２２に吸収されることとなる。
【００２０】
また、左右一対の脚周り伸縮部材１８は、側方シート２３の当該折り返し部分に挟まれるように伸長状態で配されている。左右一対の脚周り伸縮部材１８によって着用者の両脚の太股部分に対応する左右一対の脚周り開口部１２がそれぞれ絞られ、ここにそれぞれレッグギャザー１２ｇが形成される。
【００２１】
トップシート２１の下に位置する本実施形態の吸収体２２は、主にパルプと高吸水性樹脂（Ｓｕｐｅｒ  Ａｂｓｏｒｂｅｎｔ  Ｐｏｌｙｍｅｒ、以下「ＳＡＰ」とも言う）とからなる吸収性コア２２ａを、ティシュや不織布等の被覆部材（コアラップ）２２ｂによって被覆したものである。被覆部材２２ｂは、図３に示すように、上層コアラップシート２２ｂ１と下層コアラップシート２２ｂ２の２層で構成されている。本実施形態の吸収体２２は、前身頃、股下、後身頃に亘るように、細長い形状をしている。ここで、前身頃部分から後身頃部分に向かう方向を前後（上下）方向とし、それに直交する方向を左右方向とすると、本実施形態の吸収体２２は、前後（上下）方向の長さと左右方向の長さとが異なる矩形のものである（図２および図３では、前後（上下）の長さが左右の長さより長くなっている）。なお、本実施形態の吸収体２２の形状はこれに限らず、例えば、前後（上下）左右の長さが同程度の略正方形のもの、前後（上下）端の角が丸く落とされているもの、前後（上下）に延びる楕円形のもの、円形のもの等、さまざまな形状を含む。また、吸収体２２の股下部分には、一対の脚周り開口部１２に対応するように、円弧状または台形、矩形などの四角形状をなす左右一対の切欠き部が形成されても良い。なお、本実施形態に係るおむつ１０では、被覆部材２２ｂで包まれた吸収体２２を用いているが、本発明に係る吸収性物品は、被覆部材２２ｂで包まれていない吸収性コア２２ａを吸収体２２として用いてもよい。
【００２２】
＜タミーギャザー＞  
図４は、一実施形態に係るタミーギャザー２５６ｇ付近を示す図であり、図４（ａ）は図２のＩＶａ−ＩＶａ方向断面図、図４（ｂ）は図４（ａ）を肌非当接面側から見たときの一部平面図、図４（ｃ）は図４（ｂ）のＩＶｃ−ＩＶｃ方向断面図、図４（ｄ）は着用状態における図４（ｃ）である。また、図５は、着用状態における図４（ａ）であり、空気の通り抜けについて説明するための図である。
【００２３】
本実施形態では、第１シート部材２５ｓの長手方向のウエスト側には、図２および図３に示すように、ウエスト側端部２５ｗが形成されている。また、第２シート部材２６ｓの長手方向のウエスト側には、図２、図３、図４（ａ）および図４（ｂ）に示すように、ウエスト側端部２６ｗが形成されている。さらに、第３シート部材２７ｓの長手方向のウエスト側には、図２、図３、図４（ａ）および図４（ｂ）に示すように、ウエスト側端部２７ｗが形成されている。本実施形態では、上述したように、外装体１３は、第１シート部材２５ｓと、ウエスト側端部が第１シート部材２５ｓのウエスト側端部２５ｗよりも長手方向の股下側に位置する第２シート部材２６ｓと、ウエスト側端部が第２シート部材２６ｓのウエスト側端部２６ｗよりも長手方向の股下側に位置する第３シート部材２７ｓとを重ね合わせて構成されている。本実施形態では、図２および図４（ａ）に示すように、第１シート部材２５ｓのウエスト側端部２５ｗ、第２シート部材２６ｓのウエスト側端部２６ｗ、第３シート部材２７ｓのウエスト側端部２７ｗ、の順に、外装体１３のウエスト周り（ウエスト部）１１Ｗに近いものとなっている。また、本実施形態では、図２および図４（ａ）に示すように、第１シート部材２５ｓのウエスト側端部２５ｗ、第２シート部材２６ｓのウエスト側端部２６ｗ、および第３シート部材２７ｓのウエスト側端部２７ｗのいずれも、外装体１３のウエスト周り１１Ｗに略平行とされる。
【００２４】
本実施形態では、図２および図４（ａ）に示すように、第１シート部材２５ｓの股下側端部２５ｃ、第２シート部材２６ｓの股下側端部２６ｃ、の順に、外装体１３のウエスト周り１１Ｗから遠いものとなっている。また、本実施形態では、図２および図４（ａ）に示すように、第１シート部材２５ｓの股下側端部２５ｃ、および第２シート部材２６ｓの股下側端部２６ｃは、外装体１３のウエスト周り１１Ｗに略平行とされる。
【００２５】
第１シート部材２５ｓは、図４（ａ）、図４（ｂ）および図５に示すように、第１シート部材２５ｓと第２シート部材２６ｓとが重畳する第１重畳領域２５６において、第２シート部材２６ｓよりも肌当接面側に配置されている。また、第２シート部材２６ｓは、図４（ａ）、図４（ｂ）および図５に示すように、第２シート部材２６ｓと第３シート部材２７ｓとが重畳する第２重畳領域２６７において、第３シート部材２７ｓよりも肌当接面側に配置されている。
【００２６】
本実施形態では、図２および図４（ｂ）に示すように、第１重畳領域２５６において第１シート部材２５ｓと第２シート部材２６ｓとの間に、第１タミー伸縮部材２５ｅが伸張状態で配置されている。また、本実施形態では、図２および図４（ｂ）に示すように、第２重畳領域２６７において第２シート部材２６ｓと第３シート部材２７ｓとの間に、第２タミー伸縮部材２６ｅが伸張状態で配置されている。
【００２７】
本実施形態では、図４（ｂ）および図４（ｃ）に示すように、第１シート部材２５ｓと第２シート部材２６ｓとは第１タミー伸縮部材２５ｅの延在方向において間欠的に設けられた複数の第１接着部２５ａにより接着されている。また、本実施形態では、図４（ｂ）および図４（ｃ）に示すように、第２シート部材２６ｓと第３シート部材２７ｓとは第２タミー伸縮部材２６ｅの延在方向において間欠的に設けられた複数の第２接着部２６ａにより接着されている。
【００２８】
複数の第１接着部２５ａは、図２および図４（ｂ）に示すように、第１シート部材２５ｓのウエスト側端部２５ｗと交差する方向において少なくとも第１タミー伸縮部材２５ｅを含んでそれぞれ延びている。また、複数の第２接着部２６ａは、図２および図４（ｂ）に示すように、第２シート部材２６ｓのウエスト側端部２６ｗと交差する方向において少なくとも第２伸縮部材２６ｅを含んでそれぞれ延びている。本実施形態では、複数の第１接着部２５ａは、図２、図４（ａ）および図４（ｂ）第１シート部材２５ｓのウエスト側端部２５ｗと直交する方向においてそれぞれ延びており、複数の第２接着部２６ａは、第２シート部材２６ｓのウエスト側端部２６ｗと直交する方向においてそれぞれ延びている。
【００２９】
本実施形態では、複数の第１接着部２５ａは、図４（ｃ）に示すように、第１伸縮部材２５ｅの延在方向において所定間隔Ｌでそれぞれ配置されている。また、複数の第２接着部２６ａは、図４（ｃ）に示すように、第２伸縮部材２６ｅの延在方向において、所定間隔Ｌでそれぞれ配置されており、且つ、複数の第１接着部２５ａの配置からＬ／２離れた位置にそれぞれ配置されている。本発明では、このＬ／２の距離は、発明の効果を奏する限り、増減しうるものである。
【００３０】
本実施形態では、第１重畳領域２５６および第２重畳領域２６７では、図４（ｃ）に示すように、第１タミー伸縮部材２５ｅの延在方向において、第１接着部２５ａの位置と第２接着部２６ａの位置とが重ならない。図４（ｂ）および図４（ｃ）では、図の上下方向において、第１接着部２５ａの位置と第２接着部２６ａの位置とが重なっていないことが理解される。この構成により、図４（ｄ）に示すように、着用状態のとき、伸縮部材によって形成された複数のフルート形状が互いに妨げることなく存在し、各フルート形状を維持することが可能となり、空気の通り道を確保することが可能となる。
【００３１】
図５に移り、図中のＡ１に示すように、着用者の体Ｂとおむつ１０との間にある湿気が、第１シート部材２５ｓと第２シート部材２６ｓとの間隙を通って、おむつ１０の外部に逃げ、図中のＡ２に示すように、着用者の体Ｂとおむつ１０との間にある湿気が、第２シート部材２６ｓと第３シート部材２７ｓとの間隙を通って、おむつ１０の外部に逃げることになる。
【００３２】
従来、排出された体液を吸収体に誘導して吸収させる使い捨ておむつでは、そのウエストギャザーが着用者のウエストに密着し、体液が排出された後には、おむつ内部に湿気が篭って蒸れが発生し、着用者に不快感を与える場合がある。
【００３３】
そこで、おむつのインナーカバーシートとアウターカバーシートとの間に糸ゴムを配置して形成されたフルート形状において、インナーカバーシートの肌当接面側に多数の小さい孔を設けることで、おむつの内部の湿気を当該フルートの内部に通しておむつの外部へ逃がし、通気性の向上を図ったものが、例えば、特許文献１に記載されている。
【００３４】
しかしながら、特許文献１に記載のおむつでは、肌に当接されうるインナーカバーシートの孔部分の周囲が硬くて風合いがよくない場合があった。
【００３５】
本実施形態によれば、おむつの内部と外部とを連通するように空気の通り道が形成されるので、おむつ内部の通気性を向上し、蒸れを抑制することが可能となる。
【００３６】
＜その他＞  
本発明は、上述した実施形態や、随所に述べた変形例に限られることなく、本発明の技術的思想から逸脱しない範囲で、適宜の変更や変形が可能である。
【００３７】
例えば、上記実施形態またはその変形例に係るおむつの構造は、上述したようなパンツ型であって架橋型（２シート型）に限定されるわけではなく、特許請求の範囲に規定された吸収性物品の構成を含む吸収性物品でありさえすれば、どのような構成であってもよい。例えば、吸収体が存在しないパンツタイプ（パッドカバー）などにも本発明を適用可能である。
【００３８】
加えて、上記実施形態またはその変形例は、乳幼児向けのおむつに限らず、成人向けのおむつなど、各種吸収性物品に適用可能である。
【００３９】
上記実施形態またはその変形例では、空気の通り道が形成される部分は、おむつ１０の腹周りに連続して形成されているが、本発明ではこれに限られず、例えば、吸収性物品のうち通気性を向上させたい部分に、部分的に設けられてもよい。
【符号の説明】
【００４０】
１０  おむつ
１０Ｆ  前身頃領域
１０Ｒ  後身頃領域
１０Ｃ  股下領域
１１ｇ  ウエストギャザー
１１Ｗ  ウエスト周り（ウエスト部）
１２  脚周り開口部
１３  外装体
１４  吸収性本体
１７  ウエスト周り伸縮部材
１８  脚周り伸縮部材
１９  サイドシール部
２０  裏面シート（バックシート）
２１  表面シート（トップシート）
２２  吸収体
２３  側方シート（サイドシート）
２３ｇ  立体ギャザー
２４  立体ギャザー伸縮部材
２５ａ  第１接着部
２５ｅ  第１タミー伸縮部材（第１伸縮部材）
２５ｓ  第１シート部材
２５ｗ、２６ｗ、２７ｗ  ウエスト側端部
２５ｃ、２６ｃ  股下側端部
２６ａ  第２接着部
２６ｅ  第２タミー伸縮部材（第２伸縮部材）
２６ｓ  第２シート部材
２７ｓ  第３シート部材
２５６  第１重畳領域
２５６ｇ  タミーギャザー
２６７  第２重畳領域
【図１】
2019136306.tif 000003
【図２】
2019136306.tif 000004
【図３】
2019136306.tif 000005
【図４】
2019136306.tif 000006
【図５】
2019136306.tif 000007